(57)【特許請求の範囲】
【請求項１】
１，２，・・・９，０の数字および文字を入力する１０個のテンキーを有する携帯端末装置において、
記各テンキーに対応して設けられ、前記キーの主部を操作するとオンとなる第１のスイッチ手段および前記テンキーの端部を操作するとオンとなる第２のスイッチ手段と、
前第１のスイッチ手段がオンとされる毎に、オンとされたスイッチ手段に対応して設定された複数の文字を、予め決められた順序で順次、表示部に表示し、前記第２のスイッチ手段がオンとされる毎に、オンとされたスイッチ手段に対応して設定された複数の文字を、前記予め決められた順序と逆の順序で順次、表示部に表示する表示制御手段と、
記表示部の文字を入力文字として確定する確定キーと、を具備し、
前記テンキーは、楕円形状であると共に長軸方向に傾斜させて配列されている
ことを特徴とする携帯端末装置。
【発明の詳細な説明】
【０００１】
【発明の属する技術分野】
この発明は、携帯電話やＰＨＳ（登録商標）等の携帯端末装置に係り、特に、文字入力の行い易い携帯端末装置に関する。
【０００２】
【従来の技術】
近年、携帯電話による電子メールが広く行われており、特に、若者にとっては必要不可欠な通信手段となっている。
【０００３】
【発明が解決しようとする課題】
しかしながら、携帯電話はパソコンに比較するとキーの数が少なく、このため、携帯電話によって電子メールの文字を入力するのは非常に面倒であるという問題があった。
この発明は、このような事情を考慮してなされたもので、その目的は、文字入力の行い易い携帯端末装置を提供することにある。
【０００４】
【課題を解決するための手段】
この発明は上記の課題を解決すべくなされたもので、請求項１に記載の発明は、１，２，・・・９，０の数字および文字を入力する１０個のテンキーを有する携帯端末装置において、前記各テンキーに対応して設けられ、前記キーの主部を操作とするとオンとなる第１のスイッチ手段および前記テンキーの端部を操作するとオンとなる第２のスイッチ手段と、前記第１のスイッチ手段がオンとされる毎に、オンとされたスイッチ手段に対応して設定された複数の文字を、予め決められた順序で順次、表示部に表示し、前記第２のスイッチ手段がオンとされる毎に、オンとされたスイッチ手段に対応して設定された複数の文字を、前記予め決められた順序と逆の順序で順次、表示部に表示する表示制御手段と、前記表示部の文字を入力文字として確定する確定キーとを具備することを特徴とする。
【０００５】
【発明の実施の形態】
以下、図面を参照し、この発明の一実施の形態について説明する。図２は同実施の形態による携帯端末装置の構成を示すブロック図、図３は同携帯端末装置の外観を示す斜視図、図１は図２における操作部３の構成を示すブロック図である。
【０００６】
図２において、符号１は各部を制御する制御部であり、プログラムコントロールによって動作する。２は制御部１のプログラムが記憶されたＲＯＭ（リードオンリメモリ）およびデータ記憶用の不揮発性ＲＡＭ（ランダムアクセスメモリ）によって構成されるメモリである。操作部３はテンキー、ファンクションキーおよびキーインターフェイスから構成され、図３に示すように、各キーが携帯端末装置本体Ｈの表面に配置されている。
【０００７】
図１は操作部３の詳細であり、この図において、３−１は数字「１」、かな文字「あいうえお」の入力用テンキーであり、２個のスイッチ３−１ａ、３−１ｂから構成されている。同様に、３−２は数字「２」、かな文字「かきくけこ」、アルファベット「ａｂｃ」入力用テンキー、・・・３−０は数字「０」、かな文字「わんを」入力用テンキーであり、いずれも２個のスイッチから構成されている。図４はテンキー３−２の操作ボタンを示す図である。この図に示すように、操作ボタンは楕円形をしており、その数字「２」を表示している部分の周囲の比較的大きい表面領域Ｌの部分（主部）を押すと、スイッチ３−２ａがオンとなり、領域Ｌ以外の比較的小さい領域Ｍ（端部）を押すとスイッチ３−２ｂがオンとなる。他のスイッチも同様である。
【０００８】
また、図１において、３ｆは、オフフックキー、オンフックキー等のファンクションキー、３ｉはインターフェイスである。このインターフェイス３ｉはテンキー３−０〜３−９およびファンクションキー３ｆの出力を常時チェックし、オンとされたキーがあった場合に、そのキーの区別を示すキー番号を制御部１へ出力する。
【０００９】
図２において、４は通信部であり、アンテナ５を介して受信された変調音声信号を復調して音声処理部６へ出力し、また、音声処理部６から供給される符号化された音声信号を変調し、アンテナ５から送信する。また、アンテナ５を介して受信した発信元の電話番号、メールアドレス、その他のデータを音声処理部６を介して制御部１へ出力する。音声処理部６は、通信部４から出力される圧縮された音声データを伸長し、アナログ信号に変換してスピーカ７へ出力し、また、マイクロフォン８からの音声信号をディジタル音声データに変換し、さらに圧縮符号化して通信部４へ出力する。１０は着信音発生部であり、制御部１からの着信音発生指令を受けて着信音信号を形成し、スピーカ１１へ出力する。１２は液晶パネルおよびその駆動回路からなる表示部である（図３参照）。
【００１０】
次に、上記実施形態の動作を説明する。
この携帯端末装置の発信／着信時の動作、電子メール送受信の動作は従来の携帯端末装置と同様であり、したがって、説明を省略する。以下に、文字データ入力時の動作を説明する。
【００１１】
メール文章入力時において、かな文字入力モードに設定し、例えば、テンキー３−２によってかな文字「け」を入力する場合、スイッチ３−２ａを１回押すと、表示部１２に「か」が表示され、２回押すと「き」が表示され、３回押すと「く」が表示され、４回押すと「け」が表示される。この「け」が表示された時点で、ファンクションキー３ｆの確定キーを押すと、文字「け」が入力される。
ここで、スイッチ３−２ａを早く操作したため、１回余計に押してしまい、文字「け」の次の文字「こ」が表示部１２に表示されたとする。この場合、ユーザは、スイッチ３−２ｂを押す。スイッチ３−２ｂが押されると、インターフェイス３ｉがスイッチ３−２ｂのコードを制御部１へ出力する。制御部１はこのコードを受けて、スイッチ３−２ｂが押されたことを検知し、表示部１２の文字表示を一字戻し、文字「け」を表示する。ここで、ユーザが確定キーを押すと、文字「け」が入力される。ユーザが確定キーを押さずに、再びスイッチ３−２ｂを押すと、表示部１２に文字「く」が表示される。
【００１２】
アルファベット文字入力モードに設定した場合も同様に、スイッチ３−２ａを押す毎にテンキー３−２に設定されているアルファベットａｂｃが「ａ→ｂ→ｃ」と順次表示され、スイッチ３−２ｂを押す毎に「ｃ→ｂ→ａ」と上記と逆の順序で順次表示される（図４参照）。
【００１３】
このように、上記実施形態は、各テンキー３−１〜３−０のスイッチ３−１ａ〜３−０ａを押すと、１回押す毎に表示部１２の入力用の文字表示が順方向に順次変化する。一方、スイッチ３−１ｂ〜３−０ｂを押すと、１回押す毎に表示部１２の入力用の文字表示が逆方向に順次変化する。これにより、スイッチ３−１ａ〜３−０ａを急いで操作したため入力すべき文字より先の文字が表示されてしまった場合において、スイッチ３−１ｂ〜３−０ｂを押すことによって簡単に目的の文字に戻すことができる。
【００１４】
【発明の効果】
以上説明したように、この発明によれば、１，２，・・・９，０の数字および文字を入力する１０個のテンキーを有する携帯端末装置において、各テンキーに対応して設けられ、キーの主部を操作とするとオンとなる第１のスイッチ手段および前記テンキーの端部を操作するとオンとなる第２のスイッチ手段と、第１のスイッチ手段がオンとされる毎に、オンとされたスイッチ手段に対応して設定された複数の文字を、予め決められた順序で順次、表示部に表示し、第２のスイッチ手段がオンとされる毎に、オンとされたスイッチ手段に対応して設定された複数の文字を、予め決められた順序と逆の順序で順次、表示部に表示する表示制御手段と表示部の文字を入力文字として確定する確定キーとを具備しているので、誤ってテンキーの主部を多くの回数押し過ぎ、入力したい文字と異なる文字が表示部に表示された場合において、テンキーの端部を押すことにより入力したい文字にすぐ戻すことができ、したがって、文字入力が行い易い利点が得られる。
【図面の簡単な説明】
【図１】  この発明の一実施形態による携帯端末装置の操作部の構成を示すブロック図である。
【図２】  同実施形態による携帯端末装置の全体構成を示すブロック図である。
【図３】  同実施形態の外観を示す斜視図である。
【図４】  図１におけるテンキー３−２のプッシュボタンを示す図である。
【符号の説明】
１…制御部
２…メモリ
３…操作部
３−１〜３−０…テンキー
３−１ａ〜３−０ａ…スイッチ
３−１ｂ〜３−０ｂ…スイッチ
３ｆ…ファンクションキー
３ｉ…インターフェイス
４…通信部
１２…表示部
【図１】
0003669958.tif 000002
【図２】
0003669958.tif 000003
【図３】
0003669958.tif 000004
【図４】
0003669958.tif 000005